(57)【要約】【課題】  コンピュータ等の画像出力機器は起動時に初期設定等重要情報を表示する。しかし、ランプ光源の明るさが十分な状態に達していないため、初期画面等を正しく確認することができないことが発生する。またランプ起動をしていない状態でも接続状態であればコンピュータは表示機器が表示可能であるものとして動作を行ってしまう。【解決手段】  電源ＯＮから一定時間までの間、接続検出信号の出力を禁止する。【選択図】  図１
2006146048.tif 000002
【特許請求の範囲】
【請求項１】
光源と、
光源をオン・オフするための切換え手段と、
画像入力接続端子と、
画像入力接続端子より入力された画像を前記光源を用いて表示する表示手段と、
前記画像入力手段に外部機器が接続されたことを検出する検出手段と、を有し、
前記光源がオンに切替えられてから所定時間は前記検出手段の検出を禁止することを特徴とする画像表示装置。
【請求項２】
前記切換え手段が切替えられてから検出手段の解除するまでの所定時間を調整可能なことを特徴とする請求項１に記載の画像表示装置。
【請求項３】
接続検出機能を有する画像入力インターフェースと、画像投射用または画像表示用光源を具備し、光源の点灯開始から一定時間後に接続検出信号を有効にする機能を具備することを特徴とする画像表示装置。
【請求項４】
前記光源の点灯開始から接続検出信号を有効にするまでの時間を調整可能な機能を具備することを特徴とする請求項３に記載の画像表示装置。
【発明の詳細な説明】
【技術分野】
【０００１】
本発明は、ランプ光源とホットプラグディテクト機能を有するＤＶＩ−ＩまたはＨＤＭＩインターフェースを備える投射型プロジェクタに関するものである。
【背景技術】
【０００２】
ＤＶＩ（Ｄｉｇｉｔａｌ  Ｖｉｓｕａｌ  Ｉｎｔｅｒｆａｃｅ）はＤＤＷＧ（Ｄｉｇｉｔａｌ  Ｄｉｓｐｌａｙ  Ｗｏｒｋｉｎｇ  Ｇｒｏｕｐ）が規格制定を行っているディジタルインターフェースである。デジタルデータ転送方式としては、３チャンネルの画像データ伝送路（赤、緑、青）と１チャンネルのクロック伝送路の計４チャンネルの伝送路により構成され、各伝送路のシリアル信号はシングルエンド差動信号で送る方式であるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）を採用している。
【０００３】
ホットプラグディテクト機能は、コンピュータシステム上で自動環境設定機能、いわゆるプラグアンドプレイ方式を実現するための機能である。プロジェクタ等の表示装置をコンピュータに接続した場合、該コンピュータは表示装置とのＤＤＣ通信により、表示装置からプラグアンドプレイに必要な表示装置に関する情報（以下ＥＤＩＤ）を得て、該ＥＤＩＤに基づき表示装置に対応する画像出力を行う。
【０００４】
また従来、表示装置のインターフェースはＤ−Ｓｕｂコネクタ仕様に代表されるアナログインターフェースが使われてきた。Ｄ−Ｓｕｂ仕様の出力を持つコンピュータにアナログインターフェースを介して表示装置を接続する場合に、ビデオ信号のアナログ／ディジタル変換を伴うことによる表示品質の劣化や、装置のコストアップが懸念されており、液晶ディスプレイ（ＬＣＤ）などのフラットディスプレイの普及に伴いプロジェクタの多くはディジタルインターフェースが一般化してきていることも踏まえてディジタルインターフェースの標準化への期待が増大している。
【０００５】
図２は、ＤＶＩ仕様のコネクタを示す図である。ホットプラグディテクトピンは表示機器側でドライブすることによってコンピュータ等の画像出力機器側で表示装置が接続状態に有るか否かを判別することができる。
【０００６】
表示機器側でＤＶＩコネクタの１６番ピン（ホットプラグディテクト）をＨｉｇｈ状態（＋２．４Ｖ以上）にドライブするとコンピュータ等の画像出力機器側は表示機器が接続状態であることを検知する。またＬｏｗ状態（＋０．４Ｖ以下）にすると表示機器が未接続状態であることと判別する。表示機器が接続状態であると検知した場合、ＰＣ等の画像出力機器は表示画像の出力を行うが、ＬＣＤやＣＲＴ等のディスプレイに代表される通常の表示機器は電源がはいっていれば、接続状態が表示可能状態であることは言うまでも無い。
【特許文献１】特開２００１−１０９５７７号公報
【発明の開示】
【発明が解決しようとする課題】
【０００７】
しかしながらＬＣＤディスプレイ、プラズマディスプレイ（以後ＰＤＰ）等の起動から表示まで時間の掛かる表示装置や、プロジェクタ等のランプ光源をもつ表示機器では、電源ＯＮした直後はランプの輝度が弱いためその投射表示画像を確認することが非常に困難である。
【０００８】
図３に示すようにランプ等の光源は起動してから徐々に明るさを増していき一定時間経過したところで初めて画像を認識できる明るさに達する。その間画像出力機器は当然表示機器接続状態と見なし画像出力動作を行う。コンピュータ等の画像出力機器は起動時に初期設定等重要情報を表示する。しかし、ランプ光源の明るさが十分で無い状態であるため、ユーザーがこれら初期画面等を確認することができないことが発生する。またランプ起動をしていない状態でも接続状態であればコンピュータは表示機器が表示可能であるものとして動作を行う。
【０００９】
本発明は以上のような課題を解決するためになされたものであって、ランプ光源とホットプラグディテクト機能を有するＤＶＩ−ＩまたはＨＤＭＩインターフェースを備える投射型プロジェクタを提供することを目的とする。
【課題を解決するための手段】
【００１０】
以上のような目的を達成するために、本発明に係る画像表示装置はホットプラグディテクト機能を有するＤＶＩ−ＩまたはＨＤＭＩインターフェースを有する表示装置であって、マイコン等の制御手段により、ホットプラグディテクト信号を制御することが可能で、電源起動時してから予め規定された時間ホットプラグディテクト信号をＯＦＦしておき、前記予め規定された時間が経過したところで前記ホットプラグディテクト信号をＯＮする機能を有する。
【００１１】
更に、画像表示装置はランプ光源とホットプラグディテクト機能を有するＤＶＩ−ＩまたはＨＤＭＩインターフェースを有するプロジェクタであって、マイコン等の制御手段により、ホットプラグディテクト信号を制御することが可能で、電源起動時にランプＯＮ信号を発生し、予め規定された時間ホットプラグディテクト信号をＯＦＦしておき、前記予め規定された時間が経過したところで前記ホットプラグディテクト信号をＯＮする機能を有する。
【発明の効果】
【００１２】
本発明によれば、電源をオンした直後に明るさが不十分であってもコンピュータから出力される重要情報を確認することが出来る投射型プロジェクタを提供できる。
【発明を実施するための最良の形態】
【００１３】
以下、添付の図面に沿って本発明の実施の形態を詳細に説明する。
【００１４】
以下、本発明の第１の実施例について、図面を参照しながら説明する。
【００１５】
図１は、本発明に対応する表示機器の一例として液晶投影装置の基本となる概略的な構成を示すブロック図である。
【００１６】
この図１に示すプロジェクタ装置において、１０２は図示しないＤＶＩ−ＩまたはＨＤＭＩまたはＤＶＩ−ＤまたはＨＤＭＩ各インターフェースコネクタを含む入力部であり、入力部１０２からＤＶＩデコーダ１０またはＡ／Ｄコンバータ１１に複合カラー映像信号が供給される。前記供給された複合カラー映像信号は、解像度変換部１４に送られて、解像度変換処理、ガンマ補正、スケーリング処理等を行い、色補正処理部１５に送られる。色補正処理部１５では、光学系の構造、液晶パネルの構造に対応したＶ−Ｔ（透過率―電圧）補正等が行われ、映像信号は液晶表示装置（ＬＣＤ）駆動部１６に送られて、このＬＣＤ駆動回路１６が各色に対応する３枚の液晶表示パネル１７Ｒ、１７Ｇ、１７Ｂを表示駆動する。これらの液晶表示パネル１７Ｒ、１７Ｇ、１７Ｂは、ランプ１０１等の光源からの光が透過して得られた各色Ｒ、Ｇ、Ｂの画像が、投射レンズ１００を介してスクリーン面に投射される。
【００１７】
入力部１２はＲＳ−２３２、ＵＳＢ等を含むコマンドデータ入力用インターフェース部で図示しないインターフェースドライバ等を含み、ＣＰＵ１８に接続される。ＥＥＰＲＯＭ２０は書き換え可能な不揮発性メモリで規定計測時間やその他の動作初期値等を記憶しておく機能を有する。
【００１８】
図４において、ＤＶＩ−ＩまたはＨＤＭＩインターフェース４１には、図示しないコンピュータ等の画像出力機器から前記ＴＭＤＳ伝送線路を介して差動データが送信されてくる。ＤＶＩデコーダ１０では３チャンネルの画像データ伝送路（赤、緑、青）と１チャンネルのクロックこれをデジタルデータに復元して、解像度変換部に送信され、図１で示した色補正部１５、液晶駆動部１６を介して液晶部１７に画像表示を行う。前記ＤＶＩ−ＩまたはＨＤＭＩインターフェース４１の１６ピンのホットプラグディテクト信号ピンをＣＰＵ１８で制御できる構造となっており、さらにランプＯＮ信号をランプ光源の駆動を行うランプバラスト１３に送信する機能を有する。ＣＰＵ１８において図示しない時間計測機能を具備し、ランプＯＮ信号を発生してから予め規定された時間Ｔ１を計測し、このＴ１時間経過後ホットプラグディテクト信号をＯＮする構造となっている。なお規定時間Ｔ１は入力部１２や操作パネル１９を介してＥＥＰＲＯＭ２０に記憶される規定時間Ｔ１の設定を変更可能な構成として、ランプＯＮ後投射画像がユーザーに認識できる明るさに到達する時間を設定しても良いし、表示が認識できる際にコンピュータ画像が適切に表示できるように調整することも可能な構成とする。
【００１９】
次に図５に本発明の動作をフローチャートに示し動作を説明する。
【００２０】
Ｓ１で電源ＯＮ、ユーザーは操作パネルまたは図示しないリモコンの電源ボタンを押下し、画像表示装置の起動。Ｓ２では装置システムの起動と計測時間のクリアや各初期値設定、ホットプラグディテクト信号ＯＦＦを行う。Ｓ３において前記ＣＰＵ１８はランプＯＮ信号を前記ランプバラスト１３に送信する。Ｓ４において前記ＥＥＰＲＯＭ２０に記憶されている計測規定時間Ｔ１を設定する。Ｓ５において時間計測開始。Ｓ６でＴ１時間経過したか監視を行いＴ１時間経過していない場合はＳ６へもどり、経過した場合はＳ７へ移行。Ｓ７ではホットプラグディテクト信号をＯＮにする。Ｓ８で信号入力開始および画像表示開始。Ｓ９で電源ＯＦＦと同時にランプＯＦＦ、ホットプラグディテクト信号ＯＦＦ。Ｓ１０で動作終了。
【００２１】
なお本発明はプロジェクタに限定されるものではなく実施例にはないがその他のＰＤＰ、ＬＣＤ等表示装置においても電源ＯＮから表示可能状態になるまで時間のかかるもの全般的に対応可能なこととする。
【図面の簡単な説明】
【００２２】
【図１】画像表示装置の概略的な構成を示すブロック図である。
【図２】ＤＶＩ仕様のコネクタを示す図
【図３】従来の画像表示装置動作状況を表すイメージ図
【図４】本発明に係る画像表示装置の概略的な構成を示すブロック図である。
【図５】本発明の実施例の動作を示すフローチャート
【符号の説明】
【００２３】
１  液晶投影装置
１００  投射レンズ
１０１  ランプ
１０２  入力部
１０３  Ｉ２Ｃバス
１０  ビデオデコーダ
１１  Ａ／Ｄコンバータ
１２  入力部
１３  ランプバラスト
１４  解像度変換部
１５  色補正処理部
１６  液晶駆動部
１７  液晶表示部
１８  ＣＰＵ
１９  操作パネル
２０  ＥＥＰＲＯＭ
４１  ＤＶＩ−ＩまたはＨＤＭＩインターフェース
【図１】
2006146048.tif 000003
【図２】
2006146048.tif 000004
【図３】
2006146048.tif 000005
【図４】
2006146048.tif 000006
【図５】
2006146048.tif 000007